(57)【要約】【課題】安価でシンプルな構造のお知らせ機能を構成し、様々なデザインに対応する容器を提供する。【解決手段】吸上ストローと浮蓋に関連付けて浮蓋の移動を制限する解除可能な係止手段を設け、浮蓋の移動を一時的に制限し、吸上ストローを中心にくぼみ状に生ずる空孔を発生させ、手動式ポンプによる吸上機能を停止させる構成にした。【選択図】図１
2007261680.tif 000002
【特許請求の範囲】
【請求項１】
クリーム状内容物を収納する容器本体（１０）と、該容器本体（１０）の内底に向けて吸上開口をもつ吸上ストロー（５）と、該吸上ストロー（５）の吸上開口背反端に連結される手動式ポンプ機構とから成る吸上機構を備えたポンプ付き容器の該吸上ストロー（５）に、摺動可能に挿通され、クリーム状内容物の上面に装着される浮蓋（３）が、ポンプ操作によるクリーム状内容物の吸い上げに伴い、吸上ストロー（５）の長さ方向に沿って移動する構成のポンプ付き容器において、吸上ストロー（５）と浮蓋（３）に関連付けて浮蓋（３）の移動を制限する解除可能な係止手段（４）を設け、浮蓋（４）の移動を一時的に制限し、吸上ストロー（５）を中心にくぼみ状に生ずる空孔（２０）を発生させ、ポンプによる吸上機能を停止させる構成のお知らせ機能を設けたことを特徴とするポンプ付き容器。
【請求項２】
必要に応じて浮蓋（３）の上方向の移動を制限する解除可能な係止手段（４）をシリンダー部（７）と浮蓋（３）に関連付けて設けたことを特徴とする請求項１記載のポンプ付き容器。
【請求項３】
必要に応じて浮蓋（３）の上方向の移動を制限する係止手段（４）をキャップ（１１）内側壁面と浮蓋（３）に関連付けて設けたことを特徴とする請求項１記載のポンプ付き容器。
【請求項４】
容器本体（１０）、ボトル部（９）口頸部上端面を挟み込む挟着凹部（３０）をキャップ（１１）に設け、容器本体（１０）の口頸部上端周面をキャップ（１１）挟着凹部（３０）に挟着させて開閉可能に密閉するようにしたことを特徴とする請求項１記載のポンプ付き容器。
【請求項５】
容器本体（１０）、ボトル部（９）とキャップ（１１）に関連付けて解除可能なロック機構を設けたことを特徴とする請求項１記載のポンプ付き容器。
【発明の詳細な説明】
【発明の詳細な説明】
【技術分野】
【０００１】本発明は、主に洗髪料及びクリーム等のように、手動式ポンプを操作し使用するポンプ付き容器に関するものである。この様な比較的粘度の高いクリーム状の内容物、即ちリンス、コンディショナー、シャンプー等の洗髪料及び頭髪用化粧品類、クリーム（下地、美白、洗顔、クレンジングなど）等仕上げ又は皮膚用化粧品類、ハンドソープ、ボディソープ等の石鹸類、皮膚防護剤、殺菌剤、痒み止め剤等の医療用塗布剤類、糊等の事務用品類など種々の用途のものがある。
【背景技術】
【０００２】  比較的粘度の高いクリーム状の内容物を、手動式ポンプを操作し、使い切るポンプ付き容器は、実開昭５８−２１５７５公報記載の技術がある。【０００３】  この従来技術は、比較的粘度の高いクリーム状の内容物を吸上げて使用するポンプ付き容器に起こる吸上げ不良の原因となる、吸上ストローを中心にくぼみ状に発生する空孔を、容器本体の内底に向けて吸上開口をもつ吸上ストローと、該吸上ストローの吸上開口背反端に連結されるポンプ機構とから成る吸上機構を備えたポンプ付き容器の吸上ストローに、摺動可能に挿通され、クリーム状内容物の上面に装着される浮蓋が、ポンプ操作によるクリーム状内容物の吸い上げに伴い、吸上ストローの長さ方向に沿って移動する構成の浮蓋により、クリーム状の内容物の上面を均一に整える事により空孔の発生を抑える効果があり、比較的粘度の高いクリーム状の内容物でも使い切ることが出来る。
【発明の開示】
【発明が解決しようとする課題】
【０００４】  しかしながら、使い切ることが出来る機能は、同時に、気付かない間に使い切ってしまうと言う問題も発生させていた。【０００５】  本発明は、このような問題点を解決するためになされたものであり、その目的とするところは、使い切る前に警告を出すことにより補充を促し、また、係止手段を解除することにより最後まで使い切ることが出来る容器を提供することにある。
【課題を解決するための手段】
【０００６】  上記の課題は、以下の本発明により解決することができる。即ち、請求項１に記載した発明は、クリーム状内容物を収納する容器本体（１０）と、該容器本体（１０）の内底に向けて吸上開口をもつ吸上ストロー（５）と、該吸上ストロー（５）の吸上開口背反端に連結される手動式ポンプ機構とから成る吸上機構を備えたポンプ付き容器の該吸上ストロー（５）に、摺動可能に挿通され、クリーム状内容物の上面に装着される浮蓋（３）が、ポンプ操作によるクリーム状内容物の吸い上げに伴い、吸上ストロー（５）の長さ方向に沿って移動する構成のポンプ付き容器において、吸上ストロー（５）と浮蓋（３）に関連付けて浮蓋（３）の移動を制限する解除可能な係止手段（４）を設け、浮蓋（４）の移動を一時的に制限し、吸上ストロー（５）を中心にくぼみ状に生ずる空孔（２０）を発生させ、ポンプによる吸上機能を停止させる構成のお知らせ機能を設けたことを特徴とするポンプ付き容器からなる。【０００７】  請求項２、３に記載した発明は、必要に応じて浮蓋（３）の上方向の移動を制限する解除可能な係止手段（４）をシリンダー部（７）と浮蓋（３）、または、キャップ（１１）内側壁面に関連付けて設けたことを特徴とする請求項１記載のポンプ付き容器からなる。【０００８】  請求項４に記載した発明は、容器本体（１０）、ボトル部（９）口頸部上端面を挟み込む挟着凹部（３０）をキャップ（１１）に設け、容器本体（１０）ボトル部（９）の口頸部上端周面をキャップ（１１）挟着凹部（３０）に挟着させて開閉可能に密閉するようにしたことを特徴とする請求項１記載のポンプ付き容器からなる。【０００９】  請求項５に記載した発明は、容器本体（１０、）ボトル部（９）とキャップ（１１）に関連付けて解除可能なロック機構を設けたことを特徴とする請求項１記載のポンプ付き容器からなる。
【発明の効果】
【００１０】  以上、詳しく説明したように、本発明によれば、使い切ることが出来る機能は、同時に、気付かない間に使い切ってしまうと言う問題も発生させていた。この様な問題を解決する為に、使い切る前に警告を出すことにより補充を促し、また、簡単な操作で係止手段（４）を解除することにより最後まで使い切ることが出来るポンプ付き容器を提供する事ができる。また、容器本体（１０）、ボトル部（９）口頸部上端面を挟み込む挟着凹部（３２）をキャップ（１１）に設ける事により容器のデザインが円筒状に限られることなく、デザインの自由度が無限に広がり、好みのデザインのお知らせ機能が付いたポンプ容器を提供する事ができる。
【発明を実施するための最良の形態】
【００１１】  以下に、本発明の実施の形態について説明する。
【実施例】
【００１２】  以下に、図面を用いて本発明を更に具体的に説明する。但し、本発明は、その要旨を超えない限り図面に限定されるものではない。【００１３】  図１は、この発明に係るポンプ付き容器の一例を示す斜視図であり、容器本体（１０）には公知構造の手動式ポンプがネジ式で着脱可能に装着されている。手動式ポンプの上部を押下げ、上下動させることにより、吸上ストロー（５）を介してクリーム（１５）を吸上げ使用する。この実施例では、容器本体（１０）、ボトル部（９）とキャップ（１１）はネジ式で着脱可能に装着されている。（ａ）は、使用を開始した直後の浮蓋（３）の位置を示した斜視図、浮蓋（３）は吸上ストロー（５）に摺動可能に挿通され両部材間には摩擦抵抗が設けられている。この図の様に、クリーム（１５）の表面が浮蓋（３）によって均一に整えられている場合には空孔（２０）は発生しない。（ｂ）は、浮蓋（３）の移動を一時的に制限した位置を示した斜視図、この図の様に、係止手段（４）が一時的に浮蓋（３）の移動を制限した為に吸上ストロー（５）を中心にくぼみ状に空孔（２０）が発生し、空孔（２０）を通過した空気が吸上ストロー（５）内に吸上げられ、クリーム（１５）の円滑な吸い上げが阻害され残量が少ないことを警告する。この状況ではクリームの残量は少ないがある程度の量は容器本体内に残っている。【００１４】  図２、（ａ）、（ｂ）、（ｃ）は、それぞれこの発明に係るポンプつき容器の浮蓋（３）の位置関係を示す斜視図であり、（ａ）は浮蓋がクリーム（１５）の上面に装着されている状態を示している図。浮蓋（３）は使用に伴うクリーム（１５）の面低下と共に下方に移動する。（ｂ）は移動を制限する解除可能な係止手段（４）が一時的に浮蓋（３）の移動を制限している状態を示している図。吸上ストロー（５）を中心にくぼみ状に空孔（２０）が発生し始め、やがて、空孔（２０）を通過した空気が吸上ストロー（５）内に吸上げられ、ポンプによる吸上機能を停止させ、残量が少なくなっていることを警告する。この時、中栓（２）のネジを解除し、ポンプ（１）を中栓（２）と共に容器外に引き出す。引き出されたポンプ（１）に連結された吸上ストロー（５）には、浮蓋（３）が装着されていて、尚且つ、浮蓋（３）は係止手段（４）により所定の位置にとどまっている。この時、少し強い力でポンプ（１）を引き上げることによりキャップ（１１）内側壁面に引き上げ方向への移動がさえぎられ、係止手段（４）が解除され、係止状態が解除された浮蓋（３）は、ポンプ（１）を引き上げた長さだけ吸上ストロー（５）下部に移動している。（ｃ）は係止手段（４）が解除され、浮蓋（３）が最下位置まで移動したことを示す図である。係止手段（４）を解除し浮蓋（３）を吸上ストロー（５）下部まで移動させた状態で、再び、ポンプを容器に差し戻す。下部に移動している浮蓋（３）と吸上ストロー（５）両部材間に摩擦抵抗力により扁平しているクリーム面を押し下げ、均一に整えるとともに浮蓋（３）はクリーム（１５）の表面正常位置に押し戻され正常な使用状況に戻すことができ、さらに、補充の必要性を感じ取ることができる。この時、解除された係止手段（４）は最下位置にとどまる。【００１５】  図���（ａ）、（ｂ）は、この発明に係るポンプ付き容器の係止手段（４）の変形例及び抜け落ち防止手段（８）を示した図、（ａ）の実施例では係止手段（４）は、吸上ストロー（５）の係止開始位置から吸上口に向かってラッパ状に広がっている。浮蓋（３）は使用に伴うクリーム（１５）の面低下と共に下方に移動する。やがて、浮蓋（３）はラッパ状に広がった係止手段（４）により緩やかに係止をはじめる。この実施例ではクリーム（１５）の粘度の高さによって違う係止開始位置を個別に設定する必要がなく便利である。（ｂ）の係止手段（４）は円盤状で、浮蓋（３）、吸上ストロー（５）、両部材間に設定された摩擦抵抗力より大きな摩擦抵抗力で係止開始位置を示す目印線（６）上に設定されている。また、吸上口には小径円盤状の抜け落ち防止手段（８）が設けられている。【００１６】  図４（ａ）は、請求項４に記載したキャップ（１１）の密閉方法の一例を示した図。この実施例では、挟着凹部（３０）をキャップ（１１）に設け、容器本体（１０）、ボトル部（９）の口頸部上端周面をキャップ（１１）挟着凹部（３０）で確実に挟み込み開閉可能に密閉する構成である。この実施例ではキャップ（１１）が容器本体（１０），ボトル部（９）口頸部上端面を確実に挟み込み挟着させて密閉するために弾性変形可能な素材で構成してある。従って、手動式ポンプの操作時の撓みを防止するためにキャップ（１１）に筋交いのような補強を施す事も可能である。【００１７】  図４（ｂ）は、請求項５に記載の解除可能なロック機構を構成する一例を示した図。この実施例では、キャップ（１１）には、４箇所に４枚の羽根部（３１）が設けられている。また、羽根部（３１）には止め穴（３２）が設けられている。羽根部（３１）とキャップ（１１）との接続部にはガイド溝（３３）が設けられガイド溝（３３）を基点に粘性変形可能な設計である。ボトル部（９）には、突起部（３５）が設けられている。また、突起部（３５）の先端部には爪（３５）が設けられている。この実施例で、羽根部（３１）をガイド溝（３３）に沿って折り曲げ、止め穴（３２）を突起部（３４）に挿通し爪（３５）でロックする。ロックを解除する場合は羽根部（３１）を引き上げ、ロックを解除する。ボトル部（９）口頸部上端面とキャップ（１１）の間にシリコンゴムなどを挟み密閉効果を高めることも可能である。この実施例は、容器本体の形状は円筒状であるが、請求項４，５の実施例では、四角柱や楕円柱などデザインに合わせた形状の容器に浮蓋を装着することが可能になる。
【図面の簡単な説明】
【００１８】
【図１】この発明に係るポンプ付き容器の一例を示す斜視図であり、（ａ）は、使用を開始した直後の図、（ｂ）は、浮蓋の移動を一時的に制限し、吸上ストローを中心にくぼみ状に生ずる空孔を発生させた状態を示した図。
【図２】（ａ）、（ｂ）、（ｃ）は、それぞれこの発明に係るポンプ付き容器の浮蓋の位置関係を示す斜視図であり、（ａ）はクリームの上面に装着されている状態、（ｂ）は移動を制限する解除可能な係止手段が移動を一時的に制限している状態、（ｃ）は係止手段を解除し浮蓋と共に係止手段を最下方に押し下げた状態を示している。
【図３】（ａ）、（ｂ）は、この発明に係るポンプ付き容器の係止手段（４）の変形例及び抜け落ち防止手段（８）を示した図。
【図４】（ａ）は、請求項４に記載したキャップ（１１）の密閉方法の一例を示した図、（ｂ）は、請求項５に記載の解除可能なロック機構の一例を示した図。
【符号の説明】
１    手動式ポンプ
２    中栓
３    浮蓋
４    係止手段
５    ストロー
７    シリンダー部
８    抜け落ち防止手段
９    ボトル部
１０  容器本体
１１  キャップ
１５  クリーム
２０  空孔
３０  挟着凹部
３１  羽根部
３２  止め穴
３３  ガイド溝
３４  突起部
３５  爪
【図１】
2007261680.tif 000003
【図２】
2007261680.tif 000004
【図３】
2007261680.tif 000005
【図４】
2007261680.tif 000006